(57)【要約】      （修正有）【課題】長期間にわたり銘板または施工記録を保持しておくことができる銘板または施工記録シートを提供する。【解決手段】シリコーンゴムからなる表示層と、前記表示層の底面に積層されてなるシリコーン粘着剤からなる粘着層６と、粘着層６の底面に剥離可能に貼付けられてなる剥離シート７と、前記表示層の上面に形成されたエッチング溝に埋め込まれてなるシリコーントナー４によって表示されてなる銘板または施工記録部５と、を備えてなる。また、銘板または施工記録部５にバーコード画像が含まれてなる。【選択図】図３
0003211175.tif 000002
【実用新案登録請求の範囲】
【請求項１】
シリコーンゴムからなる表示層と、
前記表示基板の底面に積層されてなるシリコーン粘着剤からなる粘着層と、
前記粘着層の底面に剥離可能に貼付けられてなる剥離シートと、
前記表示層の上面に形成されたエッチング溝に埋め込まれてなるシリコーントナーによって表示されてなる銘板または施工記録部と、を備えてなる
ことを特徴とする銘板または施工記録シート。
【請求項２】
前記銘板または施工記録部にバーコード画像が含まれてなる
ことを特徴とする銘板または施工記録シート。
【考案の詳細な説明】
【技術分野】
【０００１】
本考案は、高速道路の橋脚、橋、及び建物等の建築物の銘板または施工記録シートに関する。
【背景技術】
【０００２】
従来、建築物に銘板または施工記録を残すために取り付けられた銘板または施工記録シートには、金属またはアクリル樹脂等からなる板状体に名称または施工記録が表示されたものが用いられていた。
【先行技術文献】
【特許文献】
【０００３】
【特許文献１】特開２００５−３００９４９号公報
【考案の概要】
【考案が解決しようとする課題】
【０００４】
しかし、上記のような金属板製またはアクリル樹脂板製等の銘板または施工記録シートは、建築物を構成するコンクリートにビス止めされることが通常であり、コンクリートに穴をあけること自体での悪影響と穴を開けたことによる中性化の促進、凍結防止剤等の侵入による円買いなどによりコンクリートの劣化の進行を早める要因となっていた。また、このようなクラックが期間を経ることで大きくなり、ビスが緩むことで金属板製またはアクリル樹脂板製等の銘板または施工記録シートが脱離し、銘板または施工記録が失われたり、落下した板による接触事故を起こす問題があった。
【０００５】
また、銘板または施工記録シートをコンクリートにビス止めする際の騒音も大きく、近隣への配慮が必要であり、このような配慮が作業効率を低下させる要因ともなっていた。
【課題を解決するための手段】
【０００６】
そこで、上記課題を解決するための手段として本考案に係る銘板または施工記録シートは、シリコーンゴムからなる表示層と、前記表示基板の底面に積層されてなるシリコーン粘着剤からなる粘着層と、前記粘着層の底面に剥離可能に貼付けられてなる剥離シートと、前記表示層の上面に形成されたエッチング溝に埋め込まれてなるシリコーントナーによって表示されてなる銘板または施工記録部と、を備えてなることを特徴とする。
【０００７】
銘板または施工記録部は、文字及び罫線等を表示してなり、銘板または工事の施工記録が見易く表示されたものである。また、銘板または施工記録部には、バーコード画像が付されていても好ましい。ここでバーコード画像は明部と暗部とからなる縞模様状の線形状よって構成され、当該縞模様に特定の情報を含んだものであることが好ましい。また、明部と暗部とからなるドットの二次元配列によって構成され、当該二次元配列が特定の情報を含んだ二次元バーコードを形成するものであっても好ましい。バーコード画像の明部はシリコーンゴムの表示層表面をそのまま残して構成し、暗部にはエッチング溝を形成して着色されたシリコーントナーによって構成する。このようなバーコード画像は、第三者がバーコード画像そのものを見ても情報を読み取ることはできないが、バーコード読み取り機能を備えた携帯情報端末装置などに付属しているカメラ等によってバーコード画像を撮像することによってバーコード情報を読み取ることができるものである。
【０００８】
銘板または施工記録部にバーコード画像を付すことによって、文字情報では記載しきれない多量の情報を銘板または施工記録シートに関連付けて残すことができる。また、シリコーンゴムとシリコーントナーによってバーコード画像を長期間にわたり保持することができる。
【０００９】
また、銘板または施工記録シートに関連付けられた工事関連の画像情報や音声情報等、二次元バーコードの容量内に収めることができる情報を格納させて残すこともできる。さらに、より大容量の情報であっても、情報管理組織に設置されたサーバーとのリンク情報を二次元バーコードに格納しておき、二次元バーコードを読み取った携帯情報端末装置からネットワークを介して、前記サーバー中に保存された情報にアクセス可能なシステムを構築しても好ましい。
【考案の効果】
【００１０】
本考案によれば、被貼り付け面に張り付けるだけで高い耐候性をもって、１５年以上の長期間を経ても被貼り付け面から剥がれ落ちることなく銘板または施工記録を残すことができる銘板または施工記録シートを提供することができる。
【００１１】
本考案によれば、剥離シートを剥がした粘着層の底面を目的とする建築物等の被貼り付け面に張り付けるだけで銘板または施工記録シートを強力に固定することができるので、取り付け作業時に騒音が発生することがなく、作業効率の向上を図ることができる。
【００１２】
また、粘着層は、張り付けられた面に存在する微小な多孔性構造に粘着剤成分を入り込ませアンカー効果をもって強力に貼り付くため、野外での長期間の保存に耐えることができる。
【００１３】
さらに、ビスなどで被貼り付け面を傷つけてクラックの発生要因となっていた従来技術に比べて、本考案によれば被貼り付け面を傷つけることがない。
【図面の簡単な説明】
【００１４】
【図１】銘板または施工記録シート１の表示面を正面に見た図である。
【図２】表示層２の表示面３に、シリコーントナーが埋め込まれるエッチング溝が形成された状態を示す断面図である。
【図３】銘板または施工記録シート１のＡ−Ａ拡大断面図である。
【図４】剥離シートを剥がし、銘板または施工記録シート１を被貼り付け面Ａに張り付け、マスキングテープ９との間にシリコーンシーラント１０の塗布作業を行った状態の様子を示す拡大断面図である。
【図５】図４の状態から、マスキングテープ９を除去して銘板または施工記録シート１の貼り付け作業を完了した状態を示す拡大断面図である。
【考案を実施するための形態】
【００１５】
以下、本考案に係る実施の形態を、図を参照しながら詳しく説明する。なお、本明細書及び図面において、実質的に同一の機能構成を有する構成要素については、同一の符号を付することにより重複説明を省略する。
【００１６】
図１には、銘板または施工記録シート１のシリコーンゴムからなる表示層２の表示面３に黒色のシリコーントナー４で銘板または施工記録部５が形成されてなる様子を示す。
【００１７】
図３は、図１のＡ−Ａ部分拡大断面図であり、銘板または施工記録シート１の断面構造を表す。銘板または施工記録シート１は、表層がシリコーンゴムからなる表示層２で構成されてなり、表示層２の底面にシリコーン粘着剤からなる粘着層６が密着して積層され、粘着層６の底面に剥離可能に貼付けられてなる剥離シート７からなる積層構造を有する。剥離シート７は、ポリエステルからなり、銘板または施工記録シート１を被貼り付け面Ａに張り付ける際に粘着層６から剥がされる。
【００１８】
ここで、銘板または施工記録部５の形成工程を説明すると、表示層２の表示面３上にエッチング用のレーザーを照射しながら銘板または施工記録部５を構成する文字及び罫線の形状に沿って走査させることによって、エッチング溝８を形成する。図２は、図３に示される銘板または施工記録シート１の断面の範囲と同じ範囲で、表示層２にエッチング溝８が形成された状態を示す。次に、エッチング溝８に、着色されたシリコーントナー４を埋め込み、乾燥させることによって、図１及び図３に示すような銘板または施工記録部５を形成する。
【００１９】
銘板または施工記録部５には、文字、罫線の他、図１に示すように二次元バーコード画像５１が含まれる。二次元バーコード画像５１の明部５１ａはシリコーンゴムの表示層２の表面をそのまま残して構成し、暗部５１ｂにはエッチング溝８を形成して着色されたシリコーントナー４を埋め込むことによって構成されてなる。形成された二次元バーコードは、バーコード読み取り機能を備えた携帯情報端末装置などに付属しているカメラ等によってバーコード画像５１を撮像することによってバーコード情報を読み取ることができる。
【００２０】
銘板または施工記録部５としてバーコード画像５１を付すことによって、銘板または施工記録シート１のサイズ規格などの制限によって、銘板または施工記録部に直接的に文字として形成するには記載しきれない文字情報を付加することができる。また、銘板または施工記録シート１に関連付けられた工事関連の画像情報や音声情報等、二次元バーコードの容量内に収めることができる情報を格納させて残すこともできる。さらに、より大容量の情報であっても、情報管理組織に設置されたサーバーとのリンク情報を二次元バーコードに格納しておき、二次元バーコードを読み取った携帯情報端末装置からネットワークを介して、前記サーバー中に保存された情報にアクセス可能なシステムを構築しても好ましい。
【００２１】
図４、５には、銘板または施工記録シート１をコンクリート製建築物の被貼り付け面Ａに張り付けた様子を、図２と同じ範囲について示した拡大断面の様子を示す。銘板または施工記録シート１を張り付ける際には、貼り付け作業の前に剥離シート７を粘着層６から剥がし、露出させた粘着層６の底面と被貼り付け面Ａとを密着させることによって、張り付けることができる。
【００２２】
被貼り付け面Ａが平滑面である場合には、図４に示すように、貼り付けされた銘板または施工記録シート１の周面から間隔を空けて、銘板または施工記録シート１の周囲を囲うようにマスキングテープ９を張り付け、マスキングテープ９と銘板または施工記録シート１の周面との間にシリコーンシーラント１０を埋め込むように塗布することが好ましい。シリコーンシーラント１０の塗布作業の完了後、マスキングテープ９を剥がして除去すれば銘板または施工記録シート１の周面にシリコーンシーラント１０を見栄え良く塗布することができる。その後、シリコーンシーラント１０を、自然乾燥により硬化させることにより、粘着層６の外周縁部と被貼り付け面Ａとの剥がれを防止することができる。なお、被貼り付け面Ａがモルタル・コンクリート等の多孔質材からなる場合には、シリコーンシーラント１０の塗布がなくても十分強固に貼り付けされた銘板または施工記録シート１とすることができる。粘着層６は被貼り付け面Ａに多孔質構造があれば、その多数の小孔に粘着層６の組成成分を入り込ませ、アンカー効果によって貼り付け強度を十分に確保することができるからである。
【００２３】
上記銘板または施工記録シート１によれば、被貼り付け面Ａに張り付けるだけで高い耐候性をもって、１５年以上の長期間を経ても被貼り付け面から剥がれ落ちることなく銘板または施工記録を残して施工の条件などを引き継ぐことができる。
【符号の説明】
【００２４】
１  銘板または施工記録シート
２  表示層
３  表示面
４  シリコーントナー
５  銘板または施工記録部
６  粘着層
７  剥離シート
８  エッチング溝
【図１】
0003211175.tif 000003
【図２】
0003211175.tif 000004
【図３】
0003211175.tif 000005
【図４】
0003211175.tif 000006
【図５】
0003211175.tif 000007
【手続補正書】
【提出日】平成29年4月25日(2017.4.25)
【手続補正１】
【補正対象書類名】実用新案登録請求の範囲
【補正対象項目名】全文
【補正方法】変更
【補正の内容】
【実用新案登録請求の範囲】
【請求項１】
シリコーンゴムからなる表示層と、
前記表示層の底面に積層されてなるシリコーン粘着剤からなる粘着層と、
前記粘着層の底面に剥離可能に貼付けられてなる剥離シートと、
前記表示層の上面に形成されたエッチング溝に埋め込まれてなるシリコーントナーによって表示されてなる銘板または施工記録部と、を備えてなる
ことを特徴とする銘板または施工記録シート。
【請求項２】
前記銘板または施工記録部にバーコード画像が含まれてなる
ことを特徴とする請求項１に記載の銘板または施工記録シート。
【手続補正２】
【補正対象書類名】明細書
【補正対象項目名】０００６
【補正方法】変更
【補正の内容】
【０００６】
そこで、上記課題を解決するための手段として本考案に係る銘板または施工記録シートは、シリコーンゴムからなる表示層と、前記表示層の底面に積層されてなるシリコーン粘着剤からなる粘着層と、前記粘着層の底面に剥離可能に貼付けられてなる剥離シートと、前記表示層の上面に形成されたエッチング溝に埋め込まれてなるシリコーントナーによって表示されてなる銘板または施工記録部と、を備えてなることを特徴とする。